(57)【要約】【課題】デジタルスチルカメラなどの画像データ生成装置を用いて被写体を撮影する撮影者の利便性の向上。【解決手段】デジタルスチルカメラは、撮影条件記憶ボタンが押下された後にレリーズボタンが押下されると、ユーザが選択した対象被写体の特徴量を取得するとともに、レリーズボタン押下時のデジタルスチルカメラの撮影条件を参照撮影条件として取得し、対象被写体の特徴量と参照撮影条件を関連付けて内部のメモリに記憶する。デジタルスチルカメラは、上述した対象被写体の特徴量および参照撮影条件を用いて、撮影対象の領域内に対象被写体が含まれているか否かを判断し、対象被写体が含まれる場合に、参照撮影条件を用いて絞りやシャッタ−スピードなどの撮影条件を調整し、撮影対象の領域を撮影して画像データを生成し保存する。【選択図】図４
2011135587.tif 000002
【特許請求の範囲】
【請求項１】
画像データ生成装置であって、
対象被写体が含まれる参照用画像データから、前記対象被写体の特徴量を取得する特徴量取得手段と、
前記参照用画像データ生成時の撮影条件である参照撮影条件を取得する参照撮影条件取得手段と、
前記特徴量と前記参照撮影条件とを関連付けて記憶する記憶手段と、
被写体検索用画像データを生成する生成手段と、
前記特徴量を用いて、前記被写体検索用画像データに前記対象被写体が含まれるかを判断する判断手段と、
前記被写体検索用画像データに前記対象被写体が含まれる場合に、前記対象被写体の特徴量に関連づけられている前記参照撮影条件を前記画像データ生成装置の撮影条件に設定する撮影条件設定手段と、
前記設定された撮影条件を用いて対象被写体を撮影し、保存用画像データを生成する保存用画像データ生成手段と、を備える画像データ生成装置。
【請求項２】
請求項１記載の画像データ生成装置であって、
前記参照撮影条件には、前記参照用画像データに含まれる前記対象被写体に焦点を合わせるための合焦条件が含まれており、
前記撮影条件設定手段は、前記画像データ生成装置の撮影範囲に含まれる前記対象被写体に合焦するように、前記画像データ生成装置の前記撮影条件の前記合焦条件を設定する、画像データ生成装置。
【請求項３】
請求項１または請求項２記載の画像データ生成装置であって、
１の前記対象被写体の特徴量には、２以上の前記参照撮影条件が関連付けられており、
前記画像データ生成装置は、更に、
前記各参照撮影条件の使用状況に応じて、前記各参照撮影条件に優先度を設定する優先度設定手段、を備え、
前記撮影条件設定手段は、前記優先度の最も高い前記参照撮影条件を前記画像データ生成装置の撮影条件に設定する、画像データ生成装置。
【請求項４】
請求項３記載の画像データ生成装置であって、更に、
前記２以上の参照撮影条件から１の参照撮影条件を選択するための選択手段を備え、
前記撮影条件設定手段は、前記画像データ生成装置の撮影条件を、前記優先度の最も高い参照撮影条件から前記選択された参照撮影条件に変更する、画像データ生成装置。
【請求項５】
請求項３または請求項４記載の画像データ生成装置であって、
前記優先度設定手段は、使用回数の高い撮影条件の優先度を高く設定する、画像データ生成装置。
【請求項６】
請求項３または請求項４記載の画像データ生成装置であって、
前記優先度設定手段は、使用された日時が新しい撮影条件の優先度を高く設定する、画像データ生成装置。
【請求項７】
請求項１ないし請求項６いずれか記載の画像データ生成装置であって、更に、
前記画像データ生成装置の撮影条件を設定するための設定手段と、
前記設定手段により設定された撮影条件を用いて画像データを生成する画像データ生成手段と、
前記生成された画像データから前記参照用画像データを選択するための参照用画像データ選択手段と、
前記選択された参照用画像データに含まれる被写体から前記対象被写体を選択するための被写体選択手段と、を備え、
前記特徴量取得手段は、前記選択された対象被写体を表す対象被写体画像データから、前記対象被写体の前記特徴量を取得し、
前記参照撮影条件取得手段は、前記設定手段により設定された撮影条件を前記参照撮影条件として取得する、画像データ生成装置。
【請求項８】
請求項７記載の画像データ生成装置であって、更に、
前記画像データ生成手段により生成された画像データと、前記画像データ生成時の撮影条件を含む付帯情報とを関連付けて保存する保存手段を備え、
前記参照用画像データ選択手段は、前記保存されている画像データから参照用画像データを選択し、
前記参照撮影条件取得手段は、前記参照用画像データに関連付けられている前記付帯情報から前記参照撮影条件を取得する、画像データ生成装置。
【請求項９】
画像データ生成装置により実行される画像データ生成方法であって、
対象被写体が含まれる参照用画像データから、前記対象被写体の特徴量を取得し、
前記参照用画像データ生成時の撮影条件である参照撮影条件を取得し、
前記特徴量と前記参照撮影条件とを関連付けて記憶し、
被写体検索用画像データを生成し、
前記特徴量を用いて、前記被写体検索用画像データに前記対象被写体が含まれるかを判断し、
前記被写体検索用画像データに前記対象被写体が含まれる場合に、前記対象被写体の特徴量に関連づけられている前記参照撮影条件を前記画像データ生成装置の撮影条件に設定し、
前記設定された撮影条件を用いて対象被写体を撮影し、保存用画像データを生成する、画像データ生成方法。
【発明の詳細な説明】
【技術分野】
【０００１】
本発明は、被写体を撮影して画像データを生成する画像データ生成装置に関する。
【背景技術】
【０００２】
種々の機能を備えるデジタルカメラが広く利用されている。種々の機能としては、例えば、撮影対象とする領域内に含まれる人物などの被写体に適した撮影条件を自動的に制御する自動制御機能が挙げられる。撮影条件には、例えば、絞りやシャッタースピード等が含まれる。このようなデジタルカメラは、例えば、撮影対象とする領域に含まれる被写体を抽出し、抽出された被写体の数や大きさに応じて絞りやシャッタースピード等を調整することにより露出補正やピント合わせを行っている。デジタルカメラの自動制御機能を利用することによって、高品質の画像を簡易に得ることができる。
【先行技術文献】
【特許文献】
【０００３】
【特許文献１】特開２００４−３２０２８５号公報
【特許文献２】特開２００５−２８４３６６号公報
【発明の概要】
【発明が解決しようとする課題】
【０００４】
しかしながら、従来のデジタルカメラは、抽出した被写体の数や大きさに応じて、撮影の都度、撮影条件を調整しているため、抽出した被写体を以前撮影した際の撮影条件と同じ撮影条件で撮影することは困難である。また、デジタルカメラの撮影条件を撮影対象の被写体に適した撮影条件に調整することは、撮影条件を調整することに不慣れなユーザにとって非常に煩雑な操作を伴う。
【０００５】
本発明は、上述した課題に鑑みてなされたものであり、デジタルカメラなどの画像データ生成装置を用いて被写体を撮影する撮影者の利便性の向上を目的とする。
【課題を解決するための手段】
【０００６】
上述した課題の少なくとも一部を解決するために、本発明は、被写体を撮影して画像データを生成する画像データ生成装置を提供する。
本発明の画像データ生成装置は、
対象被写体が含まれる参照用画像データから、前記対象被写体の特徴量を取得する特徴量取得手段と、
前記参照用画像データ生成時の撮影条件である参照撮影条件を取得する参照撮影条件取得手段と、
前記特徴量と前記参照撮影条件とを関連付けて記憶する記憶手段と、
被写体検索用画像データを生成する生成手段と、
前記特徴量を用いて、前記被写体検索用画像データに前記対象被写体が含まれるかを判断する判断手段と、
前記被写体検索用画像データに前記対象被写体が含まれる場合に、前記対象被写体の特徴量に関連づけられている前記参照撮影条件を前記画像データ生成装置の撮影条件に設定する撮影条件設定手段と、
前記設定された撮影条件を用いて対象被写体を撮影し、保存用画像データを生成する保存用画像データ生成手段と、を備えることを要旨とする。
【０００７】
本発明の画像データ生成装置によれば、対象被写体の特徴量と対象被写体を撮影した際の参照撮影条件とを関連付けて記憶しているため、対象被写体を撮影する場合に、参照撮影条件を利用して画像データ生成装置の撮影条件を簡易に設定できる。従って、ユーザは、本発明の画像データ生成装置を利用することにより、容易に、画像データ生成装置の撮影条件を対象被写体に応じて撮影条件を自動的に設定でき所望の画像を簡易に得ることができる。
【０００８】
本発明の画像データ生成装置において、
前記参照撮影条件には、前記参照用画像データに含まれる前記対象被写体に焦点を合わせるための合焦条件が含まれており、
前記撮影条件設定手段は、前記画像データ生成装置の撮影範囲に含まれる前記対象被写体に合焦するように、前記画像データ生成装置の前記撮影条件の前記合焦条件を設定してもよい。
【０００９】
本発明の画像データ生成装置によれば、保存用画像データを生成する都度、対象被写体に焦点が合うように撮影条件を設定できる。従って、ユーザは、本発明の画像データ生成装置を利用することにより、容易に、対象被写体に焦点を合わせられるとともに、合焦以外の撮影条件をも設定して所望の画像を得ることができる。
【００１０】
本発明の画像データ生成装置において、
１の前記対象被写体の特徴量には、２以上の前記参照撮影条件が関連付けられており、
前記画像データ生成装置は、更に、
前記各参照撮影条件の使用状況に応じて、前記各参照撮影条件に優先度を設定する優先度設定手段、を備え、
前記撮影条件設定手段は、前記優先度の最も高い前記参照撮影条件を前記画像データ生成装置の撮影条件に設定してもよい。
【００１１】
本発明の画像データ生成装置によれば、１の対象被写体に対して複数の参照条件が関連付けられている場合でも、優先度の高い参照撮影条件を画像データ生成装置の撮影条件に設定できる。従って、ユーザの所望する撮影条件を優先的に画像データ生成装置の撮影条件に設定できる。
【００１２】
本発明の画像データ生成装置において、更に、
前記２以上の参照撮影条件から１の参照撮影条件を選択するための選択手段を備え、
前記撮影条件設定手段は、前記画像データ生成装置の撮影条件を、前記優先度の最も高い参照撮影条件から前記選択された参照撮影条件に変更してもよい。
【００１３】
本発明の画像データ生成装置によれば、優先度の最も高い参照撮影条件がユーザの意図する撮影条件でない場合にも、ユーザの所望する参照撮影条件を選択して画像データ生成装置の撮影条件に設定できる。従って、参照撮影条件の中から画像データ生成装置に設定する撮影条件を柔軟に設定できる。
【００１４】
本発明の画像データ生成装置において、
前記優先度設定手段は、使用回数の高い参照撮影条件の優先度を高く設定してもよい。
【００１５】
本発明の画像データ生成装置によれば、頻繁に利用される参照撮影条件を優先的に画像データ生成装置の撮影条件に設定できる。
【００１６】
本発明の画像データ生成装置において、
前記優先度設定手段は、使用された日時が新しい撮影条件の優先度を高く設定してもよい。
【００１７】
本発明の画像データ生成装置によれば、近い過去に利用された撮影条件を優先的に画像データ生成装置の撮影条件に設定できる。
【００１８】
本発明の画像データ生成装置において、更に、
前記画像データ生成装置の撮影条件を設定するための設定手段と、
前記設定された撮影条件を用いて画像データを生成する画像データ生成手段と、
前記生成された画像データから前記参照用画像データを選択するための参照用画像データ選択手段と、
前記選択された参照用画像データに含まれる被写体から前記対象被写体を選択するための被写体選択手段と、を備え、
前記特徴量取得手段は、前記選択された対象被写体を表す対象被写体画像データから、前記対象被写体の前記特徴量を取得し、
前記参照撮影条件取得手段は、前記設定手段により設定された撮影条件を前記参照撮影条件として取得してもよい。
【００１９】
本発明の画像データ生成装置によれば、ユーザの意図を反映した参照撮影条件を対象被写体の特徴量と関連付けて記憶できる。従って、ユーザは、本発明の画像データ生成装置を利用することにより、簡易に所望する画像をえることができる。
【００２０】
本発明の画像データ生成装置であって、更に、
前記画像データ生成手段により生成された画像データと、前記画像データ生成時の撮影条件を含む付帯情報とを関連付けて保存する保存手段を備え、
前記参照用画像データ選択手段は、前記保存されている画像データから参照用画像データを選択し、
前記参照撮影条件取得手段は、前記参照用画像データに関連付けられている前記付帯情報から前記参照撮影条件を取得してもよい。
【００２１】
本発明の画像データ生成装置によれば、過去に画像データ生成装置によって生成され保存されている画像データから、対象被写体の特徴量を取得できるとともに、保存されている画像データに付帯する付帯情報から参照撮影条件を取得できるため、簡易な構成で、対象被写体の特徴量と参照撮影条件を関連付けて記憶できる。
【００２２】
本発明において、上述した種々の態様は、適宜、組み合わせたり、一部を省略したりして適用することができる。また、本発明は、上述した画像データ生成装置としての構成の他に、画像データ生成装置による画像データ生成方法、画像データ生成装置に画像データを生成させるためのコンピュータプログラム、かかるコンピュータプログラムをコンピュータ読み取り可能に記録した記録媒体等としても構成できる。いずれの構成においても、上述した各態様を適宜適用可能である。コンピュータが読み取り可能な記録媒体としては、例えば、フレキシブルディスクや、ＣＤ−ＲＯＭ、ＤＶＤ−ＲＯＭ、光磁気ディスク、ＩＣカード、ハードディスク等種々の媒体を利用することが可能である。
【図面の簡単な説明】
【００２３】
【図１】第１実施例におけるデジタルスチルカメラの概略構成を例示する説明図。
【図２】第１実施例におけるデジタルスチルカメラの回路構成を例示す回路図。
【図３】第１実施例における参照用画像データにより表される参照用画像を表す画面例。
【図４】第１実施例における撮影条件テーブルを例示する説明図。
【図５】第１実施例における撮影モードテーブルを例示する説明図。
【図６】第１実施例における被写体撮影条件記憶処理を説明するフローチャート。
【図７】第１実施例における被写体検索方法を模式的に説明する模式図。
【図８】第１実施例における被写体検索用画像データを例示する説明図。
【図９】第１実施例における保存用画像データ生成処理を説明するフローチャート。
【図１０】第１実施例における保存用画像データにより表される保存用画像を例示する説明図。
【図１１】第２実施例における対象被写体の選択について説明する画面例。
【図１２】第２実施例における参照用画像データに付帯するＥｘｉｆ情報を例示する説明図。
【図１３】変形例における撮影条件選択画面を例示する画面例である。
【図１４】変形例における被写体属性テーブルを例示する説明図である。
【発明を実施するための形態】
【００２４】
以下、本発明の実施の形態について、実施例に基づき、適宜図面を参照しながら説明する。
Ａ．第１実施例：
Ａ１．システム構成：
図１（ａ）、（ｂ）を参照して、第１実施例に係る画像データ生成装置としてのデジタルスチルカメラの概略構成について説明する。図１（ａ）は、デジタルスチルカメラ１０の正面図であり、図１（ｂ）は、デジタルスチルカメラ１０の背面図である。図１（ａ），（ｂ）に示すように、デジタルスチルカメラ１０は、レリーズボタン１１、レンズ１２、カードスロット１３、表示パネル１４、操作部１５、ＯＫボタン１６，キャンセルボタン１７および撮影条件記憶ボタン１８を備える。カードスロット１３には、デジタルスチルカメラ１０により生成された画像データの保存先となるメモリカード３０が挿入されている。
【００２５】
デジタルスチルカメラ１０は、撮影条件記憶ボタン１８が押下された後にレリーズボタン１１が押下されると、ユーザが選択した対象被写体の特徴量を取得するとともに、レリーズボタン１１押下時のデジタルスチルカメラ１０の撮影条件を参照撮影条件として取得し、対象被写体の特徴量と参照撮影条件を関連付けて内部のメモリに記憶する。第１実施例では、対象被写体の特徴量と参照撮影条件とを、まとめて、被写体撮影条件と呼ぶ。
【００２６】
デジタルスチルカメラ１０は、上述した対象被写体の特徴量および参照撮影条件を用いて、撮影対象の領域内に対象被写体が含まれているか否かを判断し、対象被写体が含まれる場合に、参照撮影条件を用いて絞りやシャッタ−スピードなどの撮影条件を調整し、撮影対象の領域を撮影して画像データを生成し、メモリカード３０に保存する。
【００２７】
Ａ２．デジタルスチルカメラの内部構成：
図２を参照して、デジタルスチルカメラの回路構成について説明する。図２は、デジタルスチルカメラ１０の回路構成を例示する回路図である。図２に示すように、デジタルスチルカメラ１０は、ＣＰＵ１００、バッファメモリ１１０、ＲＯＭ１２０、信号処理回路１０１、表示制御部１０２、インターフェース１０３、レンズ制御回路１０５、入力受付部１０７、距離検出回路１０８およびＳＷ信号入力回路１０９を備える。また、ＲＯＭ１２０は、特徴量取得モジュール１２１、撮影条件記憶モジュール１２２、被写体検索モジュール１２３，撮影条件設定モジュール１２４、画像処理モジュール１２５、および、撮影モード記憶部１２６を有する。各回路、メモリはＣＰＵ１００と接続されており、ＣＰＵ１００により制御されている。
【００２８】
レンズ駆動装置４１は、レンズの位置を調節する装置である。絞り羽４２は、黒い薄板が中央部分に孔部を形成するように複数枚組み合わされた構造を有し、絞り羽４２を介してレンズを通過する光の量、すなわち、絞り値を変化させる。レンズ制御回路１０５は、ＣＰＵ１００からの指示に基づいてレンズ駆動装置４１を駆動させてレンズの位置を調節することにより、レンズ中心から焦点までの焦点距離を調整し、レンズを介してＣＣＤに取り込まれる範囲（以降、第１実施例では撮影範囲と呼ぶ）内の撮影対象に焦点を合わせる。また、レンズ制御回路１０５は、ＣＰＵ１００からの指示に基づいて絞り羽４２を駆動させて孔部の口径を調整し、絞り値を調整する。
【００２９】
焦点距離検出装置３６は、レンズ１２から焦点までの距離である焦点距離を検出し、焦点距離を表す焦点距離情報信号を距離検出回路１０８に対して出力する。距離検出回路１０８は、焦点距離検出装置３６から入力される焦点距離情報信号に基づいて焦点距離を取得する。
【００３０】
被写体距離検出装置３７は、レンズ１２から被写体までの被写体距離を検出し、被写体距離を表す被写体距離情報信号を距離検出回路１０８に入力する。距離検出回路１０８は、また、被写体距離検出装置３７から入力される被写体距離情報信号に基づいて被写体距離を取得する。
【００３１】
ＣＣＤ２２は、画像データを構成する構成画素に対応する複数の受光素子と、各受光素子に対して所定の規則に従って配置されたＲ，Ｇ，Ｂの各カラーフィルタを備える撮像素子である。ＣＣＤ２２では、各カラーフィルタを通過した各々の光は受光素子であるフォトダイオードの一つ一つによって電荷に変えられ一時的に蓄積される。蓄積された電荷は次々に転送され信号処理回路１０１に転送される。
【００３２】
信号処理回路１０１は、入力された電荷をアナログ信号として読み出し、読み出したアナログ信号をデジタル信号に変換（Ａ／Ｄ変換）し、フレーム画像データを出力する。
【００３３】
表示制御部１０２は、信号処理回路１０１から出力されるフレーム画像データを表示パネル１４に表示する。
【００３４】
第１実施例に係るデジタルスチルカメラ１０では、種々の撮影モード、例えば、オートモード、人物撮影モード、風景撮影モード、夜景撮影モード等、を設定可能である。ユーザは、操作部１５、ＯＫボタン１６およびキャンセルボタン１７を介して撮影モードを選択し、デジタルスチルカメラ１０は、ユーザによって選択された撮影モードをデジタルスチルカメラ１０に設定する。
【００３５】
図２に示すように、デジタルスチルカメラ１０には各撮影モードに対応するモードスイッチｍＳＷ１〜、ｍＳＷ２…が設けられている。撮影モードが選択されると、選択された撮影モードに対応するモードスイッチがオン状態となり、ＳＷ信号処理回路１０９と接続される。ＳＷ信号処理回路１０９は、接続されたモードスイッチに対応する撮影モードを表すスイッチ信号ＳＳをＣＰＵ１００に送信する。ＣＰＵ１００は、スイッチ信号ＳＳを受信すると、撮影モード記憶部１２６から各撮影モードに関連付けられている撮影条件を取得し、取得した撮影条件をデジタルスチルカメラ１０の撮影条件に設定する。撮影条件には、例えば、絞り値、シャッタースピード、レンズ位置が含まれる。
【００３６】
また、デジタルスチルカメラ１０には、撮影条件記憶ボタン１８に対応するスイッチＳＷ０が設けられている。
【００３７】
撮影条件記憶ボタン１８が押下されると、スイッチＳＷ０がＯＮ状態となり、ＳＷ信号入力回路１０９と接続される。スイッチ信号入力回路１０９は、ＳＷ０がオン状態とされたことを表すスイッチ信号ＳＳをＣＰＵ１００に送信する。
【００３８】
ＣＰＵ１００は、スイッチ信号ＳＳによりスイッチＳＷ０がＯＮ状態となった後に、レリーズボタン１１が第１の位置ｈ１まで押し下げられ、スイッチＳＷ１がＯＮ状態となったことを検出すると、信号処理回路１０１から出力されるデジタル信号により表されるフレーム画像データを、特徴量取得モジュール１２１に転送する。以降、第１実施例では、特徴量取得モジュール１２１に転送されたフレーム画像データを参照用画像データと呼ぶ。
【００３９】
特徴量取得モジュール１２１は、参照用画像データを受信すると、参照用画像データを解析し、参照用画像データにより表される参照用画像に含まれる対象被写体を抽出し、対象被写体の特徴量を取得する。特徴量には、例えば、被写体の色情報、形状等が含まれる。
【００４０】
撮影条件記憶モジュール１２２は、参照用画像データ生成時の撮影条件をデジタルスチルカメラ１０から取得し、対象被写体の特徴量と関連付けて撮影条件テーブルに記憶する。撮影条件テーブルについては後述する。
【００４１】
レリーズボタン１１が第１の位置ｈ１まで押し下げられると、スイッチＳＷ１はＯＮ状態となり、ＳＷ信号入力回路１０９と接続される。レリーズボタン１１が第２の位置ｈ２まで押し下げられると、スイッチＳＷ２はＯＮ状態となるとともにスイッチＳＷ１はオフ状態となり、スイッチＳＷ２とＳＷ信号入力回路１０９とが接続される。ＳＷ信号入力回路１０９は、スイッチＳＷ１またはスイッチＳＷ２のいずれと接続されたかを表すスイッチ信号ＳＳをＣＰＵ１００に送信する。
【００４２】
ＣＰＵ１００は、スイッチ信号ＳＳによりスイッチＳＷ１がＯＮ状態となったことを検出すると、信号処理回路１０１から出力されるデジタル信号により表されるフレーム画像データを、被写体検索モジュール１２３に転送する。以降、第１実施例では、被写体検索モジュール１２３に転送されたフレーム画像データを被写体検索用画像データと呼ぶ。
【００４３】
被写体検索モジュール１２３は、被写体検索用画像データを受信すると、被写体検索用画像データを解析し、対象被写体の特徴量を有する被写体が被写体検索用画像データにより表される被写体検索用画像に含まれているか、すなわち、対象被写体が被写体検索用画像に含まれているかを判断する。
【００４４】
撮影条件設定モジュール１２４は、被写体検索モジュール１２３によって、対象被写体が被写体検索用画像に含まれていると判断された場合、撮影条件テーブルを参照して対象被写体に関連付けられている参照撮影条件を取得し、デジタルスチルカメラ１０の撮影条件に設定する。
【００４５】
ＣＰＵ１００は、撮影条件設定モジュール１２４によりデジタルスチルカメラ１０の撮影条件が設定された後に、スイッチＳＷ２がＯＮ状態となったこと、すなわち、レリーズボタン１１が第２の位置ｈ２まで押し下げられたことを検出すると、設定されている撮影条件に従って撮影を実行し、信号処理回路１０１から出力されるフレーム画像データを画像処理モジュール１２５に転送する。
【００４６】
画像処理モジュール１２５は、転送されてきたフレーム画像データに種々の画像処理、例えば、ホワイトバランスや階調再現を行い、保存用画像データを生成して、インターフェース１０３を介して生成した保存用画像データをメモリカード３０に保存する。
【００４７】
Ａ３．被写体撮影条件記憶処理：
図３〜図６を参照して、被写体撮影条件記憶処理について説明する。図３は、第１実施例における参照用画像データにより表される参照用画像を例示する画面例である。図４は、第１実施例における撮影条件テーブル３００を例示する説明図である。図５は、第１実施例における撮影モード記憶部１２６に記憶されている撮影モードテーブル３５０を例示する説明図である。図６は、第１実施例における被写体撮影条件記憶処理を説明するフローチャートである。被写体撮影条件記憶処理は、ＣＰＵ１００が特徴量取得モジュール１２１および撮影条件記憶モジュール１２２を制御して実行する。
【００４８】
信号処理回路１０１から転送されるフレーム画像データは、表示制御部１０２を介して表示パネル１４に表示される。ユーザは、操作部１５を操作して、表示パネル１４に表示されるフレーム画像に含まれる被写体の中から、所望の被写体である対象被写体に選択枠２００を合わせ、レリーズボタン１１を第１の位置ｈ１まで押し下げる。特徴量取得モジュール１２１は、レリーズボタン１１が第１の位置ｈ１まで押し下げられたときのフレーム画像データから、選択枠２００に囲まれている被写体領域２１０を切り出し、この被写体領域２１０を解析して被写体領域２１０に含まれる対象被写体の特徴量を取得する。
【００４９】
撮影条件記憶モジュール１２２は、レリーズボタン１１が第１の位置ｈ１まで押し下げられたときの、デジタルスチルカメラ１０に設定されている撮影条件を参照撮影条件として取得する。種々の撮影モード中のある撮影モードが選択されている場合には、撮影条件記憶モジュール１２２は、選択されている撮影モードを参照撮影条件として取得する。オートモードが選択されている場合、撮影条件記憶モジュール１２２は、レリーズボタン１１が第１の位置ｈ１まで押し下げられたときの、デジタルスチルカメラ１０の撮影条件、例えば、ＩＳＯ感度、絞り、シャッタースピードを参照撮影条件として取得する。撮影条件記憶モジュール１２２は、取得した参照撮影条件と、特徴量取得モジュール１２１により取得された対象被写体の特徴量とを対応付けて、撮影条件テーブル３００に記憶する。
【００５０】
撮影条件テーブル３００について、図４を参照して説明する。図４に示すように、撮影条件テーブル３００には、対象被写体の特徴量、参照撮影条件および使用状況が含まれる。第１実施例では、被写体の特徴量、参照撮影条件、使用状況を合わせて被写体撮影条件と呼ぶ。
【００５１】
特徴量は、各対象被写体の特徴量を表している。特徴量の平均Ｙは、対象被写体の輝度の平均値を表しており、平均Ｃｂおよび平均Ｃｒは、対象被写体の色差を表している。特徴量には、他に、対象被写体のエッジ情報や、目、鼻、口といった各顔パーツの相対的な位置関係等を含んでもよい。参照撮影条件は、各対象被写体の特徴量取得時のデジタルスチルカメラ１０に設定されていた撮影条件を表す。使用状況は、各参照撮影条件の使用状況を表している。「撮影枚数」は、各参照撮影条件を使用して撮影された枚数を示しており、「直近の撮影日時」は、各参照撮影条件が利用された最も近い過去の日時を表している。
【００５２】
ところで、同じ被写体であっても、撮影環境によって特徴量、例えば、平均Ｙ、平均Ｃｒ、平均Ｃｂは異なる。例えば、同じ人物を晴天の昼間の明かりのもとで撮影した場合と、夕日の明かりの元で撮影した場合とでは取得される特徴量が異なるためである。そのため、第１実施例では、実際に同じ被写体であっても、特徴量が大きく異なる場合には、別の被写体として判断している。これは、特徴量に撮影環境が反映されており、その反映されている撮影環境の元で撮影した撮影条件を特徴量と関連付けることが運用上好ましいからである。例えば、同じ被写体であるからといって、晴天の昼間の明かりのもとで撮影した際の撮影条件を設定して、夕日の明かりのもとで被写体を撮影しても、露出が適切でない事があり得るからである。
【００５３】
図４に示すように、例えば、対象被写体Ｄの特徴量の平均Ｙ、平均Ｃｂ、平均Ｃｒは次の通りである。
平均Ｙ：Ｙ４
平均Ｃｂ：Ｃｂ４
平均Ｃｒ：Ｃｒ４
【００５４】
また、図４に示すように、対象被写体Ｄの参照撮影条件は、例えば、次の通りである。
絞り値：Ｆ２．８
ＩＳＯ感度：５０
撮影条件には、他にも焦点距離、フラッシュのオン／オフやホワイトバランスなどを含んでも良い。なお、第１実施例では、絞り値とシャッタースピードは相関関係にあり、一方を決定すると他方が決定するため、参照撮影条件は、いずれか一方の値のみを含んでいる。
【００５５】
各撮影モードに対応する詳細な撮影条件は予め撮影モード記憶部１２６に記憶されているため、撮影条件記憶モジュール１２２は、対象被写体の特徴量取得時にデジタルスチルカメラ１０に撮影モードが設定されている場合には、撮影モードのみを参照撮影条件として記憶する。例えば、対象被写体Ｄの参照撮影条件には、撮影モードとして「風景」と記憶されており、他の撮影条件（絞り値、シャッタースピード等）が記憶されていない。
【００５６】
撮影モード記憶部１２６に記憶されている撮影モードテーブル３５０について、図５を参照して説明する。撮影モードテーブル３５０には、撮影モード別に詳細な撮影条件が設定されている。例えば、撮影モードが「ポートレート」の場合、絞り値は「Ｆ２．８」、シャッタースピードは「１／２５０」、焦点距離は「５０ｍｍ」、ＩＳＯ感度は「５０」である。参照撮影条件に撮影モードが記憶されている場合、撮影モード記憶部１２６に記憶されている詳細な撮影条件が、特徴量に関連付けられている参照撮影条件となる。
【００５７】
被写体撮影条件記憶処理について、図６を参照して説明する。被写体撮影条件記憶処理は、ＣＰＵ１００が特徴量取得モジュール１２１、撮影条件記憶モジュール１２２を制御することにより実行される。
【００５８】
ＣＰＵ１００は、撮影条件記憶ボタン１８の押下を検出すると（ステップＳ１０）、表示パネル１４に表示されているフレーム画像に重ねて選択枠２００を表示する（ステップＳ１１）。ユーザは、操作部１５を操作して対象被写体の位置に選択枠２００を移動させる。
【００５９】
ＣＰＵ１００は、撮影条件記憶ボタン１８押下後に、レリーズボタン１１が第１の位置ｈ１まで押し下げられたことを検出すると（ステップＳ１２）、選択されている撮影モードの撮影条件をデジタルスチルカメラ１０の撮影条件のもとで、レリーズボタン１１押下時のフレーム画像データを参照用画像データとして取得する（ステップＳ１３）。ＣＰＵ１００は、取得した参照用画像データにおいて、選択枠２００によって選択されている被写体領域を切り出し（ステップＳ１４）、切り出した被写体領域を解析して、被写体領域に含まれる対象被写体の特徴量を取得する（ステップＳ１５）。
【００６０】
ＣＰＵ１００は、対象被写体の特徴量を取得するとともに、レリーズボタン１１押下時にデジタルスチルカメラ１０に設定されている参照撮影条件を取得する（ステップＳ１６）。ＣＰＵ１００は、取得した対象被写体の特徴量と参照撮影条件とを関連付けて撮影条件テーブル３００に記憶する（ステップＳ１７）。
【００６１】
以上図３〜図６を参照して説明したように、デジタルスチルカメラ１０は、対象被写体の特徴量と参照撮影条件を関連付けて記憶する。
【００６２】
Ａ４．被写体検索処理：
図７および図８を参照して、第１実施例における被写体検索処理について説明する。図７は、第１実施例における被写体検索方法を模式的に説明する模式図である。図８は、第１実施例における被写体検索用画像データを例示する説明図である。被写体検索処理は、被写体検索モジュール１２３によって実行される。
【００６３】
ＣＰＵ１００は、複数の撮影モードから「お好みモード」が選択されている状態で、レリーズボタン１１が第１の位置ｈ１まで押し下げられると、レリーズボタン１１押下時のフレーム画像を被写体検索用画像データ２５０として取得し、被写体検索モジュール１２３に転送する。被写体検索モジュール１２３は、被写体検索用画像データ２５０を受け取ると、被写体検索処理を開始する。
【００６４】
被写体検索モジュール１２３は、被写体検索用画像データ２５０の各画素の位置を、座標を用いて特定する。図７に示すように、被写体検索用画像データ２５０の最左上の画素Ｄ１１を基準として、横方向をｘ軸、縦方向をｙ軸とする。例えば、画素Ｄ１１の座標はＤ１１（ｘ１，ｙ１）であり、図中、ｘ軸方向に１画素移動するごとに、Ｄ２１（ｘ２，ｙ１）、Ｄ３１（ｘ３，ｙ１）…とｘ座標の値が１ずつ増加する。同様に、Ｄ１１（ｘ１，ｙ１）からｙ軸方向に１画素移動するごとに、Ｄ１２（ｘ１，ｙ２）、Ｄ１３（ｘ１，ｙ３）…とｙ座標の値が１ずつ増加する。
【００６５】
被写体検索モジュール１２３は、図７に示すように、画素Ｄ１１（ｘ１，ｙ１）と画素Ｄａｂ（ｘａ、ｙａ）とからなる直線が対角線となる矩形を検索用窓２５１と決定する。被写体検索モジュール１２３は、被写体検索用画像データ２５０に検索用窓２５１を重ね、検索用窓２５１に含まれる領域を検索領域２５３として切り出す。被写体検索モジュール１２３は、切り出された検索領域２５３を解析し、撮影条件テーブル３００に含まれる特徴量を有する対象被写体が検索領域２５３に含まれるかを判断する。第１実施例において、被写体検索モジュール１２３は、検索用窓２５１を、被写体検索用画像データ２５０の画素Ｄ１１が含まれる初期位置（図７における左上）から、実線矢印Ａに示すように、順次、移動させて検索領域２５３を切り出す。
【００６６】
なお、第１実施例では、検索用窓２５１は、ｘ軸方向に１００画素ずつ並行に移動され、ｘ軸方向へ対象被写体の検索を終えると、初期位置からｙ軸方向に５０画素移動された位置から、再び、ｘ軸方向に１００画素ずつ並行に移動される。このようにして、被写体検索モジュール１２３は、被写体検索用画像データ２５０から検索領域２５３を順次切り出し、対象被写体を検索する。検索用窓２５１を用いて被写体検索用画像データ２５０を一通り検索しても対象被写体が検索されない場合には、被写体検索モジュール１２３は、検索用窓２５１のサイズを拡大・縮小して再度検索を行っても良い。例えば、図７に示すように、検索用窓２５１より大きいサイズの検索用窓２５２を用いて対象被写体の検索を行っても良い。被写体検索用画像に含まれる対象被写体のサイズは一定でないことが多いが、検索用窓のサイズを変化させて検索領域を切り出すことにより、対象被写体検索の精度を向上できる。
【００６７】
被写体検索モジュール１２３は、以上説明したように対象被写体の検索を行い、対象被写体を検出すると、被写体検索用画像データ２７０における対象被写体Ｄの位置を取得する。具体的には、被写体検索モジュール１２３は、図８に示すように、対象被写体検出時の、検索用窓２７１の図中左上の画素Ｄｐｑ（ｘｐ，ｙｑ）と図中右下の画素Ｄｒｓ（ｘｒ、ｙｓ）の座標を対象被写体の位置情報として取得する。被写体検索モジュール１２３は、取得した対象被写体の位置情報をバッファメモリ１１０に記憶する。
【００６８】
Ａ５．保存用画像データ生成処理：
図９および図１０を参照して、保存用画像データ生成処理について説明する。図９は、第１実施例における保存用画像データ生成処理を説明するフローチャートである。図１０は、第１実施例における保存用画像データにより表される保存用画像を例示する説明図である。ＣＰＵ１００は、各モジュールを制御して保存用画像データ生成処理を実行する。ＣＰＵ１００は、複数の撮影モードから「お好みモード」が選択されている状態で、レリーズボタン１１が第１の位置ｈ１まで押し下げられると、保存用画像データ生成処理を開始する。
【００６９】
ＣＰＵ１００は、複数の撮影モードから「お好みモード」が選択されている状態で、レリーズボタン１１が第１の位置ｈ１まで押し下げられたことを検出すると（ステップＳ２０）、被写体検索用画像データを取得し（ステップＳ２１）。対象被写体検出処理を行う（ステップＳ２２）。
【００７０】
ＣＰＵ１００は、対象被写体が検出されたか否かを判断し（ステップＳ２３）、対象被写体が検出された場合（ステップＳ２３：ＹＥＳ）、被写体検索用画像データにおける対象被写体の位置情報を取得する（ステップＳ２５）。
【００７１】
ＣＰＵ１００は、対象被写体が検出されない場合（ステップＳ２３：ＮＯ）、検索用窓のサイズを変更して（ステップＳ２４）、対象被写体検出処理を繰り返す（ステップＳ２２）。
【００７２】
ＣＰＵ１００は、撮影条件テーブル３００を参照し（ステップＳ２６）、検索された対象被写体の特徴量に関連づけられている参照撮影条件が２以上存在するかを判断する（ステップＳ２７）。ＣＰＵ１００は、検索された対象被写体の特徴量に関連づけられている参照撮影条件が２以上存在する場合（ステップＳ２７：ＹＥＳ）、優先度の高い参照撮影条件を取得する（ステップＳ２８）。
【００７３】
第１実施例では、同じ特徴量を有する対象被写体に複数の参照撮影条件を設定できる。各参照撮影条件には各参照撮影条件の使用状況が関連づけられており、ＣＰＵ１００は、この使用状況に応じて参照撮影条件の優先度を決定している。第１実施例では、使用状況の撮影枚数が多い参照撮影条件ほど優先度を高い。例えば、図４の撮影条件テーブル３００に示すように、対象被写体Ａには２パターンの参照撮影条件が設定されており、対象被写体Ａに関連づけられている２パターンの参照撮影条件のうち、撮影枚数の多い参照撮影条件（撮影枚数が３０枚である参照撮影条件）の優先度が高い。よって、ＣＰＵ１００は、撮影枚数が３０枚である参照撮影条件が対象被写体に適した撮影条件と判断し、かかる参照撮影条件を取得する。
【００７４】
ＣＰＵ１００は、検索された対象被写体の特徴量に関連づけられている参照撮影条件が１つの場合（ステップＳ２７：ＮＯ）、その参照撮影条件が対象被写体に適した撮影条件と判断し、かかる撮影条件を取得する（ステップＳ２９）。
【００７５】
ＣＰＵ１００は、取得した参照撮影条件をデジタルスチルカメラ１０の撮影条件に設定する（ステップＳ３０）。次に、ＣＰＵ１００は、ステップＳ２５において取得した対象被写体の位置情報、および、被写体距離検出装置３７から得た被写体距離を用いて焦点距離、絞りを調節し、デジタルスチルカメラ１０の画角内の画像に含まれる対象被写体に焦点を合わせる（ステップＳ３１）。
【００７６】
ＣＰＵ１００は、ステップＳ３１における焦点合わせを行った後に、レリーズボタン１１が第２の位置ｈ２まで押し下げられたことを検出すると（ステップＳ３２）、ステップＳ３０およびステップＳ３１において設定されたデジタルスチルカメラ１０の撮影条件のもとで撮影を行い、保存用画像データを生成する（ステップＳ３３）。ＣＰＵ１００は、生成された保存用画像データをメモリカード３０に保存する（ステップＳ３４）。
【００７７】
こうして生成された保存用画像データにより表される保存用画像について、図１０を参照して説明する。図１０に示すように、焦点が合っている対象被写体Ｄは太線により表されており、焦点が合っていない他の被写体Ｂ，Ｅは破線により表されている。保存用画像４００は、検索された対象被写体Ｄに焦点が合っているとともに、対象被写体Ｄの特徴量に関連づけられている参照撮影条件、すなわち、ユーザが対象被写体Ｄに適していると考える撮影条件で撮影された画像である。このように、対象被写体Ｄに対してユーザの所望する撮影条件を設定するとともに、焦点を対象被写体Ｄに合わせることにより、対象被写体Ｄの輪郭が明瞭に表示されるとともに、対象被写体Ｄに適した露出やホワイトバランスで撮影される。
【００７８】
なお、第１実施例の被写体撮影条件記憶処理と保存用画像データ生成処理は、連続して行われる必要はなく、ユーザは、必要なときに、被写体撮影条件記憶処理を行い、被写体撮影条件をデジタルスチルカメラ１０に記憶する。このようにして、予め、頻繁に撮影する被写体の被写体撮影条件をデジタルスチルカメラ１０に記憶しておくことにより、ユーザは、いつでも、所望の対象被写体に適しているとユーザが判断する撮影条件を簡易にデジタルスチルカメラ１０に設定して撮影を行うことができる。
【００７９】
以上説明した第１実施例のデジタルスチルカメラ１０によれば、ユーザが頻繁に撮影する対象被写体の特徴量、参照撮影条件を記憶して、画角内に対象被写体が存在場合に、対象被写体に関連付けられている参照撮影条件をデジタルスチルカメラ１０の撮影条件に設定できる。従って、ユーザが頻繁に撮影する対象被写体に適した撮影条件を優先的に設定できるため、対象被写体に応じて、撮影条件を自動的に設定でき、ユーザの利便性を向上できる。
【００８０】
また、第１実施例のデジタルスチルカメラ１０によれば、参照撮影条件をデジタルスチルカメラ１０の撮影条件に設定するとともに、対象被写体に焦点を合わせることができる。参照撮影所条件を取得した際の被写体距離と画角内に含まれる対象被写体の被写体距離とは異なることが多いため、画角内に含まれる対象被写体に適した焦点距離や絞り値を改めて設定することで、露出やホワイトバランスの調整だけでなく、対象被写体に適した被写界深度にすることができ、ユーザは、所望の撮影条件で画質の良い画像を簡易に得ることができる。
【００８１】
また、第１実施例のデジタルスチルカメラ１０によれば、撮影枚数の多い参照撮影条件の優先度を高く設定しているため、１の対象被写体に複数の参照撮影条件が関連付けられている場合にも、頻繁に利用される参照撮影条件をデジタルスチルカメラ１０の撮影条件に設定できる。
【００８２】
また、第１実施例のデジタルスチルカメラ１０によれば、撮影条件記憶ボタン１８の押下を契機として、ユーザに選択された対象被写体の特徴量と参照撮影条件を記憶する。従って、ユーザは、容易に、頻繁に撮影する対象被写体の被写体撮影条件をデジタルスチルカメラ１０に記憶できるため、ユーザの利便性を向上できる。
【００８３】
Ｂ．第２実施例：
第１実施例では、デジタルスチルカメラ１０で、撮影条件記憶ボタン１８を押下し、レリーズボタン１１が第１の位置ｈ１まで押し下げられると、被写体撮影条件を取得して記憶する。第２実施例では、デジタルスチルカメラ１０によって過去に撮影され保存されている画像データを参照用画像データとして取得し、参照用画像データからユーザにより選択された対象被写体の特徴量を取得するとともに、参照用画像データに付帯するＥｘｉｆ情報から、参照用画像データ生成時にデジタルスチルカメラ１０に設定されていた撮影条件を参照撮影条件として取得する。デジタルスチルカメラ１０は、取得した参照撮影条件と対象被写体の特徴量とを関連付けて撮影条件テーブル３００に記憶する。
【００８４】
Ｂ１．被写体撮影条件記憶処理：
第２実施例における対象被写体の参照撮影条件の取得について、図１１および図１２を参照して説明する。図１１は、第２実施例における対象被写体の選択を説明する画面例である。図１２は、第２実施例における参照用画像データに付帯するＥｘｉｆ情報を例示する説明図である。
【００８５】
デジタルスチルカメラ１０によって過去に撮影された画像データは、メモリカード３０に保存されている。ユーザは、メモリカード３０に保存されている画像データから参照用画像データを選択する。デジタルスチルカメラ１０は、選択された参照用画像データを表示パネル１４に表示するとともに、対象被写体を選択するための選択枠２００を参照用画像データに重ねて表示パネル１４に表示する。
【００８６】
ユーザは、操作部１５を操作して、所望する対象被写体が含まれるように選択枠２００を拡大・縮小および移動させ、ＯＫボタン１６を押下する。
【００８７】
デジタルスチルカメラ１０は、ＯＫボタン１６が押下されたことを検出すると、選択枠２００に囲まれる被写体領域２１０（図１１に斜線ハッチングで示す）を切り出し、解析して、対象被写体Ｆの特徴量を取得する。デジタルスチルカメラ１０は、更に、参照用画像データに付帯するＥｘｉｆ情報を参照して、参照用画像データ生成時の撮影条件を取得する。
【００８８】
図１２を参照して参照用画像データのＥｘｉｆ情報について説明する。Ｅｘｉｆ情報２１に、参照用画像データ生成時に、デジタルスチルカメラ１０に設定されていた撮影条件が記録されている。図１２に示すように、Ｅｘｉｆ情報２１には、「画像タイトル」、「撮影日時」などの画像ファイル２０に関する情報とともに、画像ファイル２０の撮影時の種々の撮影条件、例えば「色空間情報」、「ＩＳＯ感度」、「シャッタースピード」、「焦点距離」、「絞り値」が含まれる。例えば、参照用画像データ生成時の絞り値は「Ｆ３．６」、ＩＳＯ感度は「１００」である。
【００８９】
デジタルスチルカメラ１０は、Ｅｘｉｆ情報２１に含まれる撮影条件を参照撮影条件として取得し、対象被写体Ｆの特徴量と関連付けて撮影条件テーブル３００に記憶する。
【００９０】
第２実施例のデジタルスチルカメラ１０によれば、過去にデジタルスチルカメラ１０によって撮影された画像から、簡易に、対象被写体の特徴量と撮影条件を取得できる。従って、デジタルスチルカメラ１０によれば、過去に対象被写体を撮影した際の撮影条件を、簡易に再現でき、ユーザの所望する画像を生成できる。
【００９１】
Ｃ．変形例：
（１）上述の第１実施例では、１の対象被写体に複数の撮影条件が関連付けられている場合、優先度の高い参照撮影条件、すなわち、撮影枚数の多い参照撮影条件をデジタルスチルカメラ１０の撮影条件に設定している。本変形例では、対象被写体に複数の撮影条件が関連付けられている場合、優先度の高い参照撮影条件をデジタルスチルカメラ１０に設定するとともに、他の参照撮影条件をユーザに選択可能とする。
【００９２】
図１３を参照して、参照撮影条件の選択について説明する。図１３は、本変形例における撮影条件選択画面を例示する画面例である。図１３に示すように、表示パネル１４に表示されている撮影条件選択画面には、ユーザに、対象被写体に関連付けられている複数の参照撮影条件からいずれかの参照撮影条件の選択を促すメッセージＭＳＧと、選択可能な複数の参照撮影条件を含む選択部５００とが表示される。
【００９３】
ユーザは、操作部１５、ＯＫボタン１６、および、キャンセルボタン１７を操作して、所望の参照撮影条件を選択する。デジタルスチルカメラ１０は、ユーザによって選択された参照撮影条件をデジタルスチルカメラ１０の撮影条件に設定する。
【００９４】
本変形例によれば、対象被写体に複数の参照撮影条件が関連付けられている場合にも、ユーザは所望の参照撮影条件を柔軟に選択できる。
【００９５】
（２）上述の第１実施例では、被写体検索用画像に対象被写体が１つのみ含まれる場合について説明した。本変形例では、被写体検索用画像に対象被写体が複数含まれる場合に、どの対象被写体に関連付けられている参照撮影条件をデジタルスチルカメラ１０の撮影条件に設定するかについて説明する。
【００９６】
被写体には、ユーザが頻繁に撮影を所望する被写体と、頻繁に撮影を所望しない被写体とが含まれる。例えば、属性が人物の被写体は頻繁に撮影される可能性が高く、属性が山の被写体は頻繁に撮影される可能性が低い。言い換えれば、被写体の属性によって頻繁にされる可能性の高さを規定できる。本変形例では、頻繁に撮影される可能性の高さを被写体の重要度といい、重要度は被写体の属性別に予め決定されている。被写体の属性別の重要度は、被写体属性テーブル１２８に含まれている。
【００９７】
被写体属性テーブル１２８について、図１４を参照して説明する。図１４は、本変形例における被写体属性テーブル１２８を例示する説明図である。被写体属性テーブル１２８は、ＲＯＭ１２０に予め記憶されている。図１４に示すように、被写体属性テーブル１２８には、被写体属性と重要度が含まれる。重要度は、被写体属性に関連づけられている。例えば、被写体属性が「人物」の場合、被写体は主被写体とされる可能性が高く重要度は「５」と決められており、被写体属性が「山」の場合、被写体は主被写体にされる可能性は低いが背景にされる可能性は高く、重要度は「０．５」と決められている。
【００９８】
デジタルスチルカメラ１０は、対象被写体の特徴量を取得するとともに、取得した特徴量に基づいて対象被写体の属性を決定し、特徴量と関連付けて撮影条件テーブル３００に記憶する。デジタルスチルカメラ１０は、保存用画像データ生成処理において、対象被写体が複数検索された場合、被写体属性テーブル１２８を参照して、重要度の高い対象被写体に関連付けられている参照撮影条件をデジタルスチルカメラ１０の撮影条件に設定してもよい。
【００９９】
本変形例によれば、１の被写体検索用画像内に複数の対象被写体が検索された場合にも、予め定められた重要度に応じて参照用撮影条件を設定できるため、高い精度で、ユーザの所望する撮影条件で保存用画像データを生成できる。
【０１００】
（３）上述の第１実施例では、１の対象被写体に複数の参照撮影条件が関連付けられている場合、撮影枚数の多い順に参照撮影条件の優先度を高く設定している。本変形例では、参照撮影条件の優先度を、図４に示す「直近の撮影日時」に応じて設定してもよい。例えば、図４に示すように、同じ対象被写体Ａに対して、２つの参照撮影条件が関連付けられている場合、「直近の撮影日時」が最も近い過去の参照撮影条件（図４では、「直近の撮影日時」が「２００５．８．３  １６：１３」の参照撮影条件）を、デジタルスチルカメラ１０に設定しても良い。
【０１０１】
以上、本発明の種々の実施例について説明したが、本発明はこれらの実施例に限定されず、その趣旨を逸脱しない範囲で種々の構成をとることができることは言うまでもない。
【符号の説明】
【０１０２】
１０…デジタルスチルカメラ
１１…レリーズボタン
１２…レンズ
１３…カードスロット
１４…表示パネル
１５…操作部
１６…ＯＫボタン
１７…キャンセルボタン
１８…撮影条件記憶ボタン
２０…画像ファイル
３０…メモリカード
３６…焦点距離検出装置
３７…被写体距離検出装置
４１…レンズ駆動装置
４３…絞り羽
１００…ＣＰＵ
１０１…信号処理回路
１０２…表示制御部
１０３…インターフェース
１０５…レンズ制御回路
１０７…入力受付部
１０８…距離検出回路
１０９…スイッチ信号入力回路
１１０…バッファメモリ
１２０…ＲＯＭ
１２１…特徴量取得モジュール
１２２…撮影条件記憶モジュール
１２３…被写体検索モジュール
１２４…撮影条件設定モジュール
１２５…画像処理モジュール
１２６…撮影モード記憶部
１２８…被写体属性テーブル
２００…選択枠
２１０…被写体領域
２５０…被写体検索用画像データ
２５１…検索用窓
２５２…検索用窓
２５３…検索領域
２７０…被写体検索用画像データ
３００…撮影条件テーブル
３５０…撮影モードテーブル
４００…保存用画像
４５０…Ｅｘｉｆ情報
５００…選択部
【図１】
2011135587.tif 000003
【図２】
2011135587.tif 000004
【図３】
2011135587.tif 000005
【図４】
2011135587.tif 000006
【図５】
2011135587.tif 000007
【図６】
2011135587.tif 000008
【図７】
2011135587.tif 000009
【図８】
2011135587.tif 000010
【図９】
2011135587.tif 000011
【図１０】
2011135587.tif 000012
【図１１】
2011135587.tif 000013
【図１２】
2011135587.tif 000014
【図１３】
2011135587.tif 000015
【図１４】
2011135587.tif 000016
【手続補正書】
【提出日】平成23年2月22日(2011.2.22)
【手続補正１】
【補正対象書類名】特許請求の範囲
【補正対象項目名】全文
【補正方法】変更
【補正の内容】
【特許請求の範囲】
【請求項１】
画像データ生成装置であって、
対象被写体が含まれる参照用画像データから、前記対象被写体の特徴量を取得する特徴量取得手段と、
前記参照用画像データ生成時の撮影条件である参照撮影条件を取得する参照撮影条件取得手段と、
前記特徴量と前記参照撮影条件とを関連付けて記憶する記憶手段と、
被写体検索用画像データを生成する生成手段と、
前記特徴量を用いて、前記被写体検索用画像データに前記対象被写体が含まれるかを判断する判断手段と、
前記被写体検索用画像データに前記対象被写体が含まれる場合に、前記対象被写体の特徴量に関連づけられている前記参照撮影条件を前記画像データ生成装置の撮影条件に設定する撮影条件設定手段と、
前記設定された撮影条件を用いて対象被写体を撮影し、保存用画像データを生成する保存用画像データ生成手段と、を備える画像データ生成装置。